(57)【要約】【課題】  優れた咬害防止効果を備えつつ、その咬害防止のための加工に手間を要することなく、良好な取り扱い性を有するケーブルを提供する。【解決手段】  本発明のケーブル１は、光ファイバ心線を収容した内部コア２の外周を外被３により被覆してケーブル本体４が構成され、ケーブル本体４の外周側に、長手方向に沿う突起部１１を周方向に複数形成する。突起部１１の本数Ｎを、ケーブル本体４の直径をＤ、突起部１１の直径をｄとした場合に、３≦Ｎ≦π｛Ｄ／（ｄ＋１）｝を満たす本数とする。【選択図】  図１
2007095546.tif 000002
【特許請求の範囲】
【請求項１】
樹脂からなる外被によって被覆されたケーブルであって、
前記外被によって覆われたケーブル本体には、その外周側に、長手方向に沿う突起部が周方向に複数形成され、前記突起部の本数Ｎは、前記ケーブル本体の直径をＤ、前記突起部の直径をｄとした場合に、
３≦Ｎ≦π｛Ｄ／（ｄ＋１）｝
を満たす本数であることを特徴とするケーブル。
【請求項２】
請求項１に記載のケーブルであって、
前記突起部の直径ｄが２ｍｍ以上かつ８ｍｍ以下であることを特徴とするケーブル。
【請求項３】
請求項１または２に記載のケーブルであって、
前記突起部には、その内部に金属線が収納されていることを特徴とするケーブル。
【請求項４】
請求項１から３の何れかに記載のケーブルであって、
前記突起部は、前記ケーブル本体に対して螺旋状に配設されていることを特徴とするケーブル。
【発明の詳細な説明】
【技術分野】
【０００１】
本発明は、樹脂からなる外被によって被覆された電線や光ケーブルなどのケーブルに関する。
【背景技術】
【０００２】
樹脂からなる外被によって被覆された電線や光ケーブルなどは、架空や地中等、様々な環境に布設される。そして、例えば、鼠、リスあるいはムササビ等の害獣から、咬害を受けて損傷することがある。
このため、金属管内にケーブルを入れたり、あるいはケーブル表面に金属テープを巻き付けて覆うことにより、害獣対策を施すことが行われている（例えば、特許文献１参照）。
【０００３】
【特許文献１】特開平１１−１７４２９３号公報
【発明の開示】
【発明が解決しようとする課題】
【０００４】
ところで、上記のように金属管あるいは金属テープでケーブルの外周を覆うと、ケーブルが曲がり難くなり、また、ケーブル内からの光ファイバ心線等の引き出しが困難となり、取り扱い性に欠けてしまう。また、金属テープを巻き付ける構造のケーブルでは、ケーブルを覆うように金属テープを巻き付ける加工が必要であり、その作業に多大な手間を要してしまう。
ここで、金属管や金属テープを用いなくても、ケーブルを太くすることにより害獣に齧られ難くすることができるが、ケーブルを太くするとケーブルの質量増加や可撓性低下を招き、取り扱い性が悪化してしまう。
【０００５】
本発明は、優れた咬害防止効果を備えつつ、その咬害防止のための加工に手間を要することなく、良好な取り扱い性を有するケーブルを提供することを目的としている。
【課題を解決するための手段】
【０００６】
上記課題を解決することのできる本発明に係るケーブルは、樹脂からなる外被によって被覆されたケーブルであって、前記外被によって覆われたケーブル本体には、その外周側に、長手方向に沿う突起部が周方向に複数形成され、前記突起部の本数Ｎは、前記ケーブル本体の直径をＤ、前記突起部の直径をｄとした場合に、３≦Ｎ≦π｛Ｄ／（ｄ＋１）｝を満たす本数であることを特徴としている。
【０００７】
また、本発明に係るケーブルにおいて、前記突起部の直径ｄが２ｍｍ以上かつ８ｍｍ以下であることが好ましい。
【０００８】
また、本発明に係るケーブルにおいて、前記突起部には、その内部に金属線が収納されていることが好ましい。
【０００９】
また、本発明に係るケーブルにおいて、前記突起部は、前記ケーブル本体に対して螺旋状に配設されていることが好ましい。なお、ここでいう螺旋状の配列は、螺旋の旋回方向が一方向のものに限らず、螺旋の旋回方向が長手方向に逆転している形態を含む。
【発明の効果】
【００１０】
本発明に係るケーブルによれば、ケーブル本体の外周側に長手方向に沿う突起部を形成するとともに、ケーブル本体の外周を突起部が覆うように突起部の数Ｎを３本以上とし、かつＮがπ｛Ｄ／（ｄ＋１）｝以下となるようにケーブル本体の直径Ｄに関連して突起部の直径ｄと数Ｎを適切に設定しているため、鼠等の害獣に突起部を齧らせ、ケーブル本体を害獣の咬害から確実に保護することができ、ケーブル内部への被害をなくし、信頼性を大幅に向上させることができる。
【発明を実施するための最良の形態】
【００１１】
以下、本発明に係るケーブルの実施形態について、図面を参照しつつ詳細に説明する。
本実施形態では、ケーブルとして内部に光ファイバ心線を収容した光ケーブルを一例として説明する。
【００１２】
図１は、実施形態のケーブルの構造を示す横断面図であり、図２は、ケーブルの外観を示す斜視図である。
図１に示すように、ケーブル１は、内部コア２を有しており、この内部コア２の外周側が、樹脂からなる外被３によって被覆されている。そして、この内部コア２を外被３によって被覆したものがケーブル本体４となっている。
【００１３】
内部コア２は、その内部に、例えばアラミドヤーンなどとともに複数本の光ファイバ心線及び抗張力体など（図示省略）が収容されている。
【００１４】
外被３は、例えば、ポリエチレンなどの熱可塑性樹脂からなるもので、この外被３によって内部コア２を覆ったケーブル本体４には、その外周側に、長手方向に沿う複数の突起部１１が周方向に間隔をあけて形成されている。
これらの突起部１１は、ケーブル１を咬もうとする害獣に対して、ケーブル本体４を咬ませずに、咬みやすく構成した突起部１１の方を優先的に咬ませるものである。
【００１５】
また、突起部１１は、断面視円形状に形成されており、ケーブル本体４の外被３とともに押出成形することにより、その一部がケーブル本体４の外周と一体的に連結されている。
また、図２に示すように、これらの突起部１１は、ケーブル本体４に対して、長手方向に沿って一方向へ撚られて螺旋状に配設されている。なお、この螺旋の向きとしては、図３に示すように、長手方向の一定間隔で交互に撚り方向を反転（所謂ＳＺ撚り）させても良い。
【００１６】
突起部１１の本数Ｎは、ケーブル本体４の直径をＤとして、突起部１１の直径をｄとした場合に、次式（１）を満たすように設定されている。
３≦Ｎ≦π｛Ｄ／（ｄ＋１）｝    …（１）
【００１７】
突起部１１を３本以上設けることで、ケーブル本体４の全周的に突起部１１を配置して、略全方向からの害獣の咬害に対してケーブル本体４を保護することができる。例えば、突起部１１を３本とした場合には、ケーブル本体４の中心軸を中心に１２０°づつの角度で各突起部１１を配置することで、略全方向からの咬害に対応可能である。
また、ケーブル本体４の直径Ｄに関連して、突起部１１の数Ｎがπ｛Ｄ／（ｄ＋１）｝以下となるように突起部１１の直径ｄと数Ｎを設定することで、突起部１１の直径ｄが小さいほど突起部１１の数Ｎが多くなる。したがって、複数の突起部１１がケーブル本体４の略全周を覆うように効果的に配置できる。
【００１８】
また、突起部１１は、その直径ｄを害獣に咬まれやすい大きさに設定すると良い。
ここで、図４に、各種の外径の線材に対する害獣が齧った回数の関係を示す実験結果を示す。
この図４に示すように、各種の外径の線材に対して、１〜１２ｍｍの外径の線材が害獣によって齧られ、特に、齧られた回数が最も多かったのは、外径が４ｍｍの場合であった。この結果を考慮し、突起部１１の直径ｄとしては、１〜１２ｍｍとすることが好ましく、２〜８ｍｍとすることがより好ましい。さらに咬まれやすいのは、直径ｄを３〜５ｍｍとした場合である。
【００１９】
そして、上記実施形態のケーブル１によれば、ケーブル本体４の外周側に、長手方向に沿った形状の突起部１１を周方向に複数形成し、これらの突起部１１の本数Ｎを、上記式（１）を満たす本数としたことにより、鼠等の害獣に突起部１１を齧らせ、ケーブル本体４を害獣の咬害から確実に保護することができ、内部コア２内の光ファイバ心線への被害をなくし、信頼性を大幅に向上させることができる。
【００２０】
特に、突起部１１の直径ｄを２〜８ｍｍとすることにより、これら突起部１１を害獣に積極的に咬ませ、ケーブル本体４の咬害を確実になくすことができる。
しかも、突起部１１は、ケーブル本体４に対して長手方向に沿って一方向に撚った螺旋状、あるいは一定間隔で交互に撚り方向を反転させた螺旋状に配設されているので、ケーブル１の可撓性を高めることができ、良好な取り扱い性を維持することができる。
【００２１】
なお、突起部１１は、上式（１）を満たす範囲で、ケーブル本体４の周方向に隙間なく形成しても良いが、突起部１１を害獣に咬ませ易くするために、突起部１１同士の間に寸法Ｌの間隔をあけても良い。
また、突起部１１としては、ケーブル本体４の外被３と同じポリエチレンとすることが好ましいが、害獣に咬まれた際の耐久性を高めるために、突起部１１をさらに硬質な材料で形成しても良い。
【００２２】
また、図５に示すように、突起部１１内に、鋼線等の金属線１２を埋め込んでも良い。このようにすると、この突起部１１の耐久性をさらに高めることができるとともに、突起部１１に埋め込んだ金属線１２をケーブル１の抗張力体として機能させることもでき、内部コア２内の抗張力体を設ける必要がなくなる（もしくは内部コア２内の抗張力体の断面積を減らせる）。
ここで、突起部１１は、ケーブル本体４に対して螺旋状（図２に示した一方向の螺旋状または図３に示した長手方向で交互に反転する螺旋状）に配設されているので、各突起部１１に金属線１２を埋め込んでも十分な可撓性を確保することができ、良好な取り扱い性を維持することができる。
【００２３】
なお、突起部１１の断面形状としては、断面視円形状に限定されず、あらゆる形状が適用可能である。
図６に示すものは、ケーブル本体４の外周に、断面視半円形状の突起部１１Ａを形成したものであり、図７に示すものは、断面視矩形状の突起部１１Ｂを有するケーブル１である。
そして、これら断面視半円形状あるいは矩形状の突起部１１Ａ，１１Ｂを形成した場合も、その本数Ｎを、前述した式（１）の範囲とし、直径（幅寸法）ｄを２〜８ｍｍとすることにより、これらの突起部１１Ａ，１１Ｂを害獣に積極的に咬ませ、ケーブル本体４の咬害を確実になくすことができ、内部コア２に収容されている光ファイバ心線を確実に保護することができる。
【００２４】
なお、突起部１１，１１Ａ，１１Ｂは、長手方向に連続して設けるのが好ましいが、必ずしも連続して設ける必要はなく、断続的に設けても良い。
また、上記実施形態では、ケーブルとして、内部コア２内に光ファイバ心線を収容し、その外周を外被３によって覆った光ケーブルを例にとって説明したが、本発明は、金属の導体電線を外被によって覆ったケーブル等、あらゆるケーブルに適用可能である。
【図面の簡単な説明】
【００２５】
【図１】本発明の実施形態に係るケーブルの構造を示す横断面図である。
【図２】ケーブルの外観を示す斜視図である。
【図３】ケーブルの外観を示す斜視図である。
【図４】各種の外径の線材に対する害獣が齧った回数の関係を示すグラフ図である。
【図５】突起部に金属線を埋め込んだケーブルの構造を示す横断面図である。
【図６】断面視半円形状の突起部を有するケーブルの横断面図である。
【図７】断面視矩形状の突起部を有するケーブルの横断面図である。
【符号の説明】
【００２６】
１  ケーブル
３  外被
４  ケーブル本体
１１，１１Ａ，１１Ｂ  突起部
１２  金属線
ｄ  突起部の直径
Ｄ  ケーブル本体の直径
Ｎ  突起部の本数
【図１】
2007095546.tif 000003
【図２】
2007095546.tif 000004
【図３】
2007095546.tif 000005
【図４】
2007095546.tif 000006
【図５】
2007095546.tif 000007
【図６】
2007095546.tif 000008
【図７】
2007095546.tif 000009